(57)【要約】  本発明は、クライアント側の構成を変更することなく改良されたデータ伝送システムおよびその方法を提供することを目的とする。データ読み出しサーバ２は、ＵＲＬを含む電子メールをメールクライアント６から受信し、この電子メールからＵＲＬを抽出して、組織内ネットワーク１６０を介してウェブサーバ４へアクセスしてウェブデータを受け取る。また、データ読み出しサーバ２は、受け取ったデータをＭＩＭＥ形式に変換して電子メールを作成し、作成した電子メールをメールクライアント６へ送信する。メールクライアント６のユーザは、電子メール閲覧ソフトを用いて、イントラネットの外部から、イントラネット内部のウェブページを閲覧することができる。
2007052353.tif 000002
【特許請求の範囲】
【請求項１】
第１のネットワークと、第２のネットワークとを含むデータ伝送システムであって、前記第１のネットワークにおいては、所定のデータが、この第１のネットワークの内部で伝送され、前記第１のネットワークと前記第２のネットワークとの間では、少なくとも電子メールによるデータの伝送が行われ、前記第２のネットワークから前記第１のネットワークに対して、前記所定のデータを指定する指定データを含む電子メールが送信され、
前記第１のネットワークは、
前記所定のデータを記憶するデータ記憶装置と、
前記記憶された所定のデータの内、前記第２のネットワークからの電子メールに含まれる指定データが示す所定のデータを読み出して、前記読み出した所定のデータを含む電子メールを、前記第２のネットワークに対して返すデータ読み出し装置と
を有する
データ伝送システム。
【請求項２】
前記第２のネットワークには、前記指定データを含む電子メールを、前記第１のネットワークに対して送信し、前記第１のネットワークから返された電子メールを受信する電子メール装置が接続され、
前記電子メール装置は、
前記電子メールを、前記第２のネットワークを介して、前記第１のネットワークから受信する受信手段と、
前記受信された所定のデータの内容を表示する表示手段と、
前記指定データを含む電子メールを、前記第２のネットワークを介して、前記第１のネットワークに対して送信する送信手段と
を有する
請求の範囲第１項に記載のデータ伝送システム。
【請求項３】
前記データ読み出し装置は、
前記読み出した所定のデータを、前記電子メール装置の表示手段における表示に適合させるように変換する変換手段と、
前記変換された所定のデータを含む電子メールを、前記第２のネットワークを介して、前記電子メール装置に対して送信する送信手段と
を有する
請求の範囲第２項に記載のデータ伝送システム。
【請求項４】
前記所定のデータは、ウェブページに含まれるウェブデータであり、
前記所定のデータを指定する指定データは、ＵＲＬであり、
前記第１のネットワークは、イントラネットであり、
前記第２のネットワークは、インターネットである
請求の範囲第２項に記載のデータ伝送システム。
【請求項５】
前記所定のデータは、
他の所定のデータを指定する指定データ
をさらに含み、
前記電子メール装置は、
前記受信された所定のデータに含まれる前記指定データを選択する選択手段
をさらに有し、
前記送信手段は、前記選択された指定データを含む電子メールを送信する
請求の範囲第３項に記載のデータ伝送システム。
【請求項６】
前記所定のデータは、
外部からの操作を受け入れる操作用画像
をさらに含み、
前記電子メール装置の表示手段は、前記所定のデータに含まれる操作用画像をさらに表示し、
前記電子メール装置は、
前記表示された操作用画像に対する操作を受け入れる操作受入手段
をさらに有し、
前記電子メール装置の選択手段は、前記表示された操作用画像に対する操作に応じて、受信された電子メールの所定のデータに含まれる前記他の所定のデータの指定データの内の１つ以上を選択する
請求の範囲第５項に記載のデータ伝送システム。
【請求項７】
前記所定のデータに含まれる指定データは、この所定のデータに対応付けられた他の所定のデータを指定する指定データである
請求の範囲第５項に記載のデータ伝送システム。
【請求項８】
前記第２のネットワークは、
前記電子メール装置から送られてくる操作情報を含む要求に応じて、この要求に含まれる操作情報に対応する前記所定のデータの指定データを検索し、検索の結果として得られた指定データを、前記要求した電子メール装置に返す検索装置
をさらに有し、
前記電子メール装置は、
前記検索装置から返される指定データを含む電子メールを作成する電子メール作成手段
をさらに有し、
前記送信手段は、前記作成された電子メールを、第２のネットワークを介して、第１のネットワークに対して、さらに送信する
請求の範囲第２項に記載のデータ伝送システム。
【請求項９】
前記データ読み出し装置の変換手段は、前記読み出した所定のデータを、前記検索装置の識別情報を含むデータにさらに変換し、
前記電子メール装置の送信手段は、前記操作情報を含む要求を、前記識別情報が示す検索装置に対してさらに送信する
請求の範囲第８項に記載のデータ伝送システム。
【請求項１０】
前記データ読み出し装置は、
前記受信された電子メールから識別情報を抽出する抽出手段と、
前記抽出された識別情報に基づいて、前記電子メールの送信者を認証する認証手段と
をさらに有する
請求の範囲第２項に記載のデータ伝送システム。
【請求項１１】
前記データ読み出し装置は、
前記抽出された識別情報を記憶する識別情報記憶手段と、
前記記憶された識別情報に基づいて、前記データ記憶装置にアクセスするアクセス手段と
をさらに有する
請求の範囲第１０項に記載のデータ伝送システム。
【請求項１２】
前記データ読み出し装置は、
前記所定のデータを利用するための機能を提供するデータ利用機能提供手段
を有し、
前記第２のネットワークから前記第１のネットワークに対して、前記データ利用機能の内容を指定するデータ利用機能指定情報を含む電子メールが送信され、
前記データ利用機能提供手段は、前記データ利用機能指定情報に応じてデータ利用機能を提供する
請求の範囲第１項に記載のデータ伝送システム。
【請求項１３】
第１のネットワークと、第２のネットワークとを含むデータ伝送システムにおけるデータ伝送方法であって、前記第１のネットワークにおいては、所定のデータが、この第１のネットワークの内部で伝送され、前記第１のネットワークと前記第２のネットワークとの間では、少なくとも電子メールによるデータの伝送が行われ、前記第２のネットワークから前記第１のネットワークに対して、前記所定のデータを指定する指定データを含む電子メールが送信され、
前記第１のネットワークにおいて、
前記所定のデータを記憶する記憶ステップと、
前記記憶された所定のデータの内、前記第２のネットワークからの電子メールに含まれる指定データが示す所定のデータを読み出して、前記読み出した所定のデータを含む電子メールを、前記第２のネットワークに対して返すデータ読み出しステップと
を含む
データ伝送方法。
【請求項１４】
それぞれのコンピュータを含む第１のネットワークと、第２のネットワークとを含むデータ伝送システムにおけるデータ伝送プログラムであって、前記第１のネットワークにおいては、所定のデータが、この第１のネットワークの内部で伝送され、前記第１のネットワークと前記第２のネットワークとの間では、少なくとも電子メールによるデータの伝送が行われ、前記第２のネットワークから前記第１のネットワークに対して、前記所定のデータを指定する指定データを含む電子メールが送信され、
前記所定のデータを記憶する記憶ステップと、
前記記憶された所定のデータの内、前記第２のネットワークからの電子メールに含まれる指定データが示す所定のデータを読み出して、前記読み出した所定のデータを含む電子メールを、前記第２のネットワークに対して返すデータ読み出しステップと
を、前記第１のネットワークのコンピュータに実行させる
データ伝送プログラム。
【発明の詳細な説明】
【技術分野】
【０００１】
本発明は、データの伝送およびウェブページの閲覧などに用いられるデータ伝送システムおよびその方法に関する。
【背景技術】
【０００２】
例えば、特許文献１は、電子メールを使用して、クライアントコンピュータが、サーバコンピュータからウェブページのコンテンツを取得する方法を開示する。
しかしながら、特許文献１に開示された方法の導入のためには、クライアント側ネットワークにおける構成の変更が必要となる。
従って、クライアント側でその構成の変更なしに、電子メールを使用してウェブコンテンツを得ることができるように改良されたデータ伝送システムが望まれる。
【特許文献１】特開２００４−１７３１１６公報
【発明の開示】
【発明が解決しようとする課題】
【０００３】
本発明は、上述の背景からなされたものであり、電子メールを用いてウェブコンテンツを取得するために適したデータ伝送システムおよびその方法を提供することを目的とする。
【課題を解決するための手段】
【０００４】
上記目的を達成するために、本発明にかかるデータ伝送システムは、第１のネットワークと、第２のネットワークとを含むデータ伝送システムであって、前記第１のネットワークにおいては、所定のデータが、この第１のネットワークの内部で伝送され、前記第１のネットワークと前記第２のネットワークとの間では、少なくとも電子メールによるデータの伝送が行われ、前記第２のネットワークから前記第１のネットワークに対して、前記所定のデータを指定する指定データを含む電子メールが送信され、前記第１のネットワークは、前記所定のデータを記憶するデータ記憶装置と、前記記憶された所定のデータの内、前記第２のネットワークからの電子メールに含まれる指定データが示す所定のデータを読み出して、前記読み出した所定のデータを含む電子メールを、前記第２のネットワークに対して返すデータ読み出し装置とを有する。【０００５】
また、本発明にかかるデータ伝送方法は、第１のネットワークと、第２のネットワークとを含むデータ伝送システムにおけるデータ伝送方法であって、前記第１のネットワークにおいては、所定のデータが、この第１のネットワークの内部で伝送され、前記第１のネットワークと前記第２のネットワークとの間では、少なくとも電子メールによるデータの伝送が行われ、前記第２のネットワークから前記第１のネットワークに対して、前記所定のデータを指定する指定データを含む電子メールが送信され、前記第１のネットワークにおいて、前記所定のデータを記憶する記憶ステップと、前記記憶された所定のデータの内、前記第２のネットワークからの電子メールに含まれる指定データが示す所定のデータを読み出して、前記読み出した所定のデータを含む電子メールを、前記第２のネットワークに対して返すデータ読み出しステップとを含む。【０００６】
また、本発明にかかるデータ伝送プログラムは、それぞれのコンピュータを含む第１のネットワークと、第２のネットワークとを含むデータ伝送システムにおけるデータ伝送プログラムであって、前記第１のネットワークにおいては、所定のデータが、この第１のネットワークの内部で伝送され、前記第１のネットワークと前記第２のネットワークとの間では、少なくとも電子メールによるデータの伝送が行われ、前記第２のネットワークから前記第１のネットワークに対して、前記所定のデータを指定する指定データを含む電子メールが送信され、前記所定のデータを記憶する記憶ステップと、前記記憶された所定のデータの内、前記第２のネットワークからの電子メールに含まれる指定データが示す所定のデータを読み出して、前記読み出した所定のデータを含む電子メールを、前記第２のネットワークに対して返すデータ読み出しステップとを、前記第１のネットワークのコンピュータに実行させる
【発明の効果】
【０００７】
本発明にかかるデータ伝送システムおよびその方法によれば、クライアント側でその構成の変更なしに、電子メールを使用してウェブコンテンツを得ることができるようになる。
【図面の簡単な説明】
【０００８】
【図１】本発明にかかるウェブページの閲覧方法が適用されるウェブページ閲覧システムの構成を例示する図である。
【図２】図１に示したデータ読み出しサーバ、ウェブサーバ、メールクライアントおよび検索サーバのハードウエア構成を例示する図である。
【図３】図１に示したウェブページ閲覧システムにおいて、メールクライアントとデータ読み出しサーバの間で行われるウェブページ閲覧の態様を示す図である。
【図４】ウェブページ閲覧システムにおいて、メールクライアント、データ読み出しサーバおよび検索サーバの間で行われるフォーム入力によるウェブページ閲覧の態様を示す図である。
【図５】図１に示したデータ読み出しサーバにおいて動作するデータ読み出しサーバプログラムを示す図である。
【図６】図１に示したメールクライアントからデータ読み出しサーバに対して送信される電子メールに含まれる情報を示す図である。
【図７】図５に示したポータル処理部の構成を示す図である。
【図８】図５に示したＨＴＭＬタグ変換部の構成を示す図である。
【図９】本発明にかかるＭＩＭＥ形式のデータの構成の一例を示す図である。
【図１０】図１に示したデータ読み出しサーバからメールクライアントに対して送信される電子メールに含まれる情報を示す図である。
【図１１】図５に示したユーザ管理部の構成を示す図である。
【図１２】図１に示したウェブサーバにおいて動作するウェブサーバプログラムを示す図である。
【図１３】図１に示したメールクライアントにおいて動作するメールクライアントプログラムを示す図である。
【図１４】図１に示したメールクライアントから検索サーバに送信されるＨＴＴＰリクエストに含まれる情報を示した図である。
【図１５】図１に示した検索サーバからメールクライアントに送信されるＨＴＴＰレスポンスに含まれる情報を示した図である。
【図１６】図１に示した検索サーバにおいて動作する検索サーバプログラムを示す図である。
【図１７】図１に示したウェブページ閲覧システムの、フォーム入力を考慮しない場合の全体的な動作を示す通信シーケンス図である。
【図１８】図１に示したウェブページ閲覧システムの、フォーム入力を考慮した場合の全体的な動作を示す通信シーケンス図である。
【発明を実施するための最良の形態】
【０００９】
以下、本発明の実施形態を説明する。【００１０】
［ウェブページ閲覧システム１］
図１は、本発明にかかるウェブページの閲覧方法が適用されるウェブページ閲覧システム１の構成を例示する図である。
図１に示すように、ウェブページ閲覧システム１は、イントラネット１６と、メールクライアント６と、検索サーバ８とが、ネットワーク１００を介して接続されて構成される。
イントラネット１６は、データ読み出しサーバ２と、ウェブサーバ４と、電子メールゲートウェイ１８０とが、組織内ネットワーク１６０を介して接続されて構成される。
電子メールゲートウェイ１８０は、イントラネット１６内の組織内ネットワーク１６０とネットワーク１００との間で、電子メールを受け渡しするための機能を有する。
なお、以下、データ読み出しサーバ２など、ウェブページ閲覧システム１において、情報処理および通信の主体となりうる装置を、ノードと総称することがある。【００１１】
［ハードウエア］
以下、ウェブページ閲覧システム１の各構成部分のハードウエア構成を説明する。
図２は、図１に示したデータ読み出しサーバ２、ウェブサーバ４、メールクライアント６および検索サーバ８のハードウエア構成を例示する図である。
図２に示すように、データ読み出しサーバ２、ウェブサーバ４、メールクライアント６および検索サーバ８は、ＣＰＵ１２２およびメモリ１２４などを含む本体１２０、キーボードおよび表示装置などを含む入出力装置１２６、他のノードとの通信を行う通信装置１２８、および、ＣＤ装置およびＨＤＤ装置など、記録媒体１３２に対するデータの記録および再生を行う記録装置１３０から構成される。
つまり、データ読み出しサーバ２、ウェブサーバ４、メールクライアント６および検索サーバ８は、情報処理および他のノードとの通信が可能なコンピュータとしてのハードウエア構成部分を有している。【００１２】
［ウェブページ閲覧の態様］
図３は、図１に示したウェブページ閲覧システム１において、メールクライアント６とデータ読み出しサーバ２の間で行われるウェブページ閲覧の態様を示す図である。
ウェブページ閲覧システム１においては、図３に破線（Ａ）で示されるような、メールクライアント６からのＵＲＬ（Ｕｎｉｆｏｒｍ  Ｒｅｓｏｕｒｃｅ  Ｌｏｃａｔｏｒ）を含む電子メールに応じて、このＵＲＬが示すウェブページのコンテンツを得るために、ＨＴＭＬ（ＨｙｐｅｒＴｅｘｔ  Ｍａｒｋｕｐ  Ｌａｎｇｕａｇｅ）形式で記述するデータを含む電子メールが、破線（Ｂ）で示されるように、データ読み出しサーバ２から返される。
さらに、このデータ読み出しサーバ２からの電子メールは、ウェブデータを表示可能なメールクライアントプログラムにより表示される。【００１３】
つまり、ウェブページ閲覧システム１において、メールクライアント６のユーザは、メールクライアント６から、電子メールを用いて、イントラネットの外部から、イントラネット内部のウェブページを閲覧することができる。
さらに、メールクライアント６のユーザは、メールクライアント６に表示されたイントラネット内のウェブページ内のリンクをクリックすることによって自動的に作成される、リンク先のＵＲＬを含む電子メールを用いて、リンク先のウェブページを閲覧することができる。【００１４】
［フォーム入力によるウェブページ閲覧の態様］
図４は、ウェブページ閲覧システム１において、メールクライアント６、データ読み出しサーバ２および検索サーバ８の間で行われるフォーム入力によるウェブページ閲覧の態様を示す図である。
このフォーム入力とは、ウェブページに埋め込まれたフォームタグを利用して、メールクライアント６のユーザが、テキストの入力およびメニュー項目の選択をすることである。
メールクライアント６のユーザが、フォーム入力を行い、ウェブページに埋め込まれた送信ボタンをクリックすると、ＨＴＴＰ（ＨｙｐｅｒＴｅｘｔ  Ｔｒａｎｓｆｅｒ  Ｐｒｏｔｏｃｏｌ）リクエストが、破線（Ｃ）で示すように検索サーバ８に送信される。
検索サーバ８は、ＨＴＴＰリクエストに応じて、フォーム入力情報に対応するＵＲＬを含むｍａｉｌｔｏ形式のＨＴＴＰレスポンスを、破線（Ｄ）で示すようにメールクライアント６に返信する。【００１５】
このｍａｉｌｔｏ形式のＨＴＴＰレスポンスは、レスポンスコードが、３０２  Ｆｏｕｎｄステータス（リクエストされたリソースは、レスポンスヘッダ内の Ｌｏｃａｔｉｏｎ フィールドによって与えられることを示すステータス）であって、このＬｏｃａｔｉｏｎ フィールドには、フォーム入力情報に対応するＵＲＬを本文とするｍａｉｌｔｏタグ（電子メールを自動的に起動するためのＨＴＭＬリンクタグ）が示されている。
そのため、メールクライアント６は、ｍａｉｌｔｏ形式のＨＴＴＰレスポンスを受信すると、フォーム入力情報に対応するＵＲＬを含む電子メールを、自動的に作成する。
メールクライアント６のユーザは、自動的に作成された、フォーム入力情報に対応するＵＲＬを含む電子メールを用いて、フォーム入力情報に対応するウェブページを閲覧することができる。【００１６】
［ソフトウエア］
次に、ウェブページ閲覧システム１の各ノードのソフトウエアを説明する。
以下の各図に示すプログラムは、例えば、記録媒体１３２（図２）を介して各ノードに供給され、メモリ１２４にロードされ、各ノード上で動作するＯＳ（図示せず）上で、ハードウエアを具体的に利用して実行される。【００１７】
［データ読み出しサーバプログラム２０］
図５は、図１に示したデータ読み出しサーバ２において動作するデータ読み出しサーバプログラム２０を示す図である。
図５に示すように、データ読み出しサーバプログラム２０は、通信処理部２００，２０２、ウェブキャプチャ部２０４、ウェブページデータベース（ウェブページＤＢ）２１０、メール受信部２２２、メール送信部２２４、メール分析部２２６、ＵＲＬ抽出部２３０、送信者アドレス抽出部２３２、ポータル処理部２４、ＵＲＬアクセス部２６０、関連ファイル抽出部２８０、ＨＴＭＬタグ変換部３０、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎ）形式変換部３２０、メール作成部３４０、ユーザ認証部３５０およびユーザ管理部３６から構成される。
データ読み出しサーバプログラム２０は、これらの構成部分により、ＵＲＬを含む電子メールを、イントラネット１６外部のメールクライアント６から受信し、受信した電子メールからＵＲＬを抽出し、イントラネット１６内部のウェブサーバ４に対してアクセスし、ウェブページを構成するデータ（ウェブデータ）を受け取る。
さらに、データ読み出しサーバプログラム２０は、受け取ったウェブデータをＭＩＭＥ形式に変換して電子メールを作成し、メールクライアント６へ送信する。【００１８】
データ読み出しサーバプログラム２０において、通信処理部２００は、ネットワーク１００を介した他のノードとの通信を行うための処理を行う。
つまり、通信処理部２００は、メールクライアント６から、ネットワーク１００、電子メールゲートウェイ１８０および組織内ネットワーク１６０を介して電子メールを受信し、メール受信部２２２に対して出力する。
また、通信処理部２００は、メール送信部２２４から入力された電子メールを、組織内ネットワーク１６０、電子メールゲートウェイ１８０およびネットワーク１００を介して、メールクライアント６に対して送信する。【００１９】
通信処理部２０２は、組織内ネットワーク１６０を介した他のノードとの通信を行うための処理を行う。
つまり、通信処理部２０２は、ウェブキャプチャ部２０４から入力される信号を、組織内ネットワーク１６０を介して、ウェブサーバ４に対して送信する。
また、通信処理部２０２は、組織内ネットワーク１６０を介してウェブサーバ４からウェブデータを受信し、ウェブキャプチャ部２０４に対して出力する。【００２０】
図６は、図１に示したメールクライアント６からデータ読み出しサーバ２に対して送信される電子メールに含まれる情報を示す図である。
図６に示すように、メールクライアント６からデータ読み出しサーバ２に対して送信される電子メールには、データ読み出しサーバＩＤ、メールクライアントＩＤと、ウェブページのＵＲＬまたは図７を用いて後述するポータル機能のキーワードが含まれる。
メール受信部２２２（図５）は、通信処理部２００から、図６に示す電子メールの情報を受け取る。
また、メール受信部２２２は、受け取った電子メールの情報を、メール分析部２２６に対して出力し、メール分析部２２６の処理を起動する。【００２１】
メール分析部２２６は、メール受信部２２２から図６に示す電子メールの情報を受け取り、送信者アドレス情報と電子メール本文の情報を抽出する。
メール分析部２２６は、抽出した送信者アドレス情報を、送信者アドレス抽出部２３２に対して出力する。
また、メール分析部２２６では、電子メール本文の情報については、１行目の文字列情報のみを抽出し、２行目以降の文字列情報は無視する。
メール分析部２２６は、抽出した文字列情報を、文字列がＵＲＬの場合は、ＵＲＬ抽出部２３０に対して出力し、ＵＲＬ以外の場合は、ポータル処理部２４に対して出力する。【００２２】
ＵＲＬ抽出部２３０は、メール分析部２２６から入力したＵＲＬを、ＵＲＬアクセス部２６０に対して出力する。
送信者アドレス抽出部２３２は、メール分析部２２６から入力した送信者アドレス情報を、メール作成部３４０に対して出力する。
また、送信者アドレス抽出部２３２は、電子メールの送信者の認証に利用するために、送信者アドレス情報を、ユーザ認証部３５０に対して出力する。【００２３】
図７は、図５に示したポータル処理部２４の構成を示す図である。
図７に示すように、ポータル処理部２４は、キーワード抽出部２４０、ブックマーク処理部２４２、履歴処理部２４４、アカウント処理部２４６、自動配信処理部２４８およびブラウザ設定処理部２５０から構成される。
ポータル処理部２４は、メールクライアント６からの電子メール本文の情報に従って、ウェブブラウザにおけるポータル機能を提供するための処理（ポータル処理）を行う。【００２４】
ここで、ポータル機能とは、一般的なウェブブラウザが有している、ブックマークの設定，履歴の登録とその一覧の表示，アカウントの設定，ウェブページの自動配信の設定およびブラウザの設定を行う機能のことをいう。
ブラウザの設定とは、メールクライアント６のユーザがウェブコンテンツを利用するために必要な機能を設定することであり、例えば、クッキーや履歴の削除，ＳＳＬ（Ｓｅｃｕｒｅ  Ｓｏｃｋｅｔ  Ｌａｙｅｒ）やサーバ証明書の設定に代表されるセキュリティ項目の設定，およびメールクライアント６で表示される文字コードの設定などである。
また、以下、ポータル処理部２４が処理を実行するために利用する電子メール本文の情報を、ポータルキーワードと称する。【００２５】
メールクライアント６のユーザは、ポータル機能を利用する場合、ポータルキーワードを電子メール本文に入力し、データ読み出しサーバ２に対して送信する。
データ読み出しサーバ２は、ポータルキーワードに応じて、メールクライアント６のユーザがポータル機能を利用するためのウェブデータを、メールクライアント６に対して送信する。
メールクライアント６のユーザは、送信されたウェブデータを編集し、データ読み出しサーバ２に対して返信することにより、ポータル機能の登録，編集などを行うことができる。【００２６】
キーワード抽出部２４０は、電子メール本文からポータルキーワードを抽出し、ポータルキーワードに応じて、ブックマーク処理部２４２、履歴処理部２４４、アカウント処理部２４６、自動配信処理部２４８およびブラウザ設定処理部２５０が行うポータル処理を制御する。
メールクライアント６のユーザが、ブックマークの設定を行いたい場合は、電子メールの本文に、ポータルキーワードとして「bookmark」と入力する。
ブックマーク処理部２４２は、「bookmark」という情報をポータルキーワードとしてキーワード抽出部２４０から入力すると、図１１を参照して後述するブックマーク情報管理部３６８にアクセスして、ブックマークの一覧を含むウェブページをメールクライアント６に送るための処理を行う。
メールクライアント６のユーザは、送られたブックマーク一覧を含むウェブページに埋め込まれたフォームタグを利用してフォーム入力し、データ読み出しサーバ２に返信することにより、ブックマークの設定を行うことが可能である。
また、ブックマーク処理部２４２は、「bookmark:（具体的なＵＲＬ）」という情報をポータルキーワードとしてキーワード抽出部２４０から入力した場合、「bookmark:」に続くＵＲＬをブックマークに追加するための処理を行う。【００２７】
メールクライアント６のユーザが、登録された履歴の一覧を閲覧したい場合は、電子メールの本文に、ポータルキーワードとして「history」と入力する。
履歴処理部２４４は、「history」という情報をポータルキーワードとしてキーワード抽出部２４０から入力すると、ウェブページのアクセス履歴一覧をメールクライアント６に送るための処理を行う。【００２８】
メールクライアント６のユーザが、アカウントの設定をしたい場合は、電子メールの本文に、ポータルキーワードとして「account」と入力する。
アカウント処理部２４６は、「account」という情報をポータルキーワードとしてキーワード抽出部２４０から入力すると、ＩＤ，パスワードを設定するページをメールクライアント６に送るための処理を行う。
メールクライアント６のユーザは、送られた設定フォームを含むウェブページに埋め込まれたフォームタグを利用してフォーム入力し、データ読み出しサーバ２に返信することにより、設定することが可能である。【００２９】
メールクライアント６のユーザが、ウェブページの自動配信の設定を行いたい場合は、電子メールの本文に、ポータルキーワードとして「subscription」と入力する。
自動配信処理部２４８は、「subscription」という情報をポータルキーワードとしてキーワード抽出部２４０から入力すると、自動配信の設定ページをメールクライアント６に送るための処理を行う。
メールクライアント６のユーザは、送られた設定フォームを含むウェブページに埋め込まれたフォームタグを利用してフォーム入力し、データ読み出しサーバ２に返信することにより、ユーザが自動配信を所望するウェブページがメールクライアント６に自動配信されるための設定を行うことが可能である。
この処理により、設定されたウェブページに更新があった場合に、更新後のウェブページが、自動的にメールクライアント６に配信される。【００３０】
メールクライアント６のユーザが、ブラウザの設定を行いたい場合は、電子メールの本文に、ポータルキーワードとして「option」と入力する。
ブラウザ設定処理部２５０は、「option」という情報をポータルキーワードとしてキーワード抽出部２４０から入力すると、ブラウザの設定ページをメールクライアント６に送るための処理を行う。
メールクライアント６のユーザは、送られた設定フォームを含むウェブページに埋め込まれたフォームタグを利用してフォーム入力し、データ読み出しサーバ２に返信することにより、ブラウザの設定を行うことが可能である。【００３１】
ＵＲＬアクセス部２６０（図５）は、ＵＲＬ抽出部２３０からＵＲＬを受け取り、このＵＲＬが示すリソースにあるウェブデータの取得を、ウェブサーバ４に要求する信号を、ウェブキャプチャ部２０４に対して出力する。
ウェブキャプチャ部２０４は、ＵＲＬアクセス部２６０から入力された信号を、通信処理部２０２に対して出力する。
さらに、ウェブキャプチャ部２０４は、この要求に応じてウェブサーバ４から配信されるＨＴＭＬ形式で記述されたテキストデータ（ＨＴＭＬデータ）を取得し、取得したデータをウェブページＤＢ２１０に記憶する。【００３２】
関連ファイル抽出部２８０は、ウェブキャプチャ部２０４が取得したＨＴＭＬデータから、ウェブページを構成する関連ファイルの識別情報を抽出する。
関連ファイル抽出部２８０は、抽出した関連ファイルの識別情報に応じて、関連ファイルの配信をウェブサーバ４に要求する信号をウェブキャプチャ部２０４に対して出力する。
ウェブキャプチャ部２０４は、関連ファイル抽出部２８０から入力された信号を、通信処理部２０２に対して出力する。
ウェブキャプチャ部２０４は、関連ファイル配信の要求に応じてウェブサーバ４から配信される関連ファイルを取得し、取得したファイルを関連ファイル抽出部２８０に対して出力し、取得したファイルデータをウェブページＤＢ２１０に記憶する。
関連ファイル抽出部２８０は、ウェブキャプチャ部２０４から入力した関連ファイルを、ＭＩＭＥ形式変換部３２０に対して出力する。【００３３】
図８は、図５に示したＨＴＭＬタグ変換部３０の構成を示す図である。
図８に示すように、ＨＴＭＬタグ変換部３０は、ＨＴＭＬタグ抽出部３００、リンクタグ変換部３０２、イメージタグ変換部３０４、フラッシュタグ変換部３０６、ジャバスクリプトタグ変換部３０８、ＣＳＳ（Ｃａｓｃａｄｉｎｇ  Ｓｔｙｌｅ  Ｓｈｅｅｔｓ）タグ変換部３１０およびフォームタグ変換部３１２から構成される。
ＨＴＭＬタグ変換部３０は、ウェブキャプチャ部２０４がウェブサーバ４より取得したＨＴＭＬデータを解析し、ユーザがメールクライアント６で行うウェブページの閲覧に必要なタグの変換を行う。
ＨＴＭＬタグ抽出部３００は、ウェブサーバ４より取得したＨＴＭＬデータよりタグを抽出して、タグ変換処理を制御する。【００３４】
リンクタグ変換部３０２は、リンクタグの変換を行い、ｈｒｅｆ属性で指定されたＵＲＬをＲＦＣ（Ｒｅｑｕｅｓｔ  Ｆｏｒ  Ｃｏｍｍｅｎｔ）２３６８に準拠したｍａｉｌｔｏ形式に変換する。
すなわち、リンクタグ変換部３０２は、以下の変換処理を実行する。
通常のウェブページに埋め込まれたリンクタグが、
＜ａ  ｈｒｅｆ＝”（リンク先のＵＲＬ）”＞（「リンク先のＵＲＬ」へのリンクを表す文字列）＜／ａ＞
と記載されているとすると、リンクタグ変換部３０２は、これを
＜ａ  ｈｒｅｆ＝”ｍａｉｌｔｏ：（データ読み出しサーバ２の電子メールアドレス）？ｓｕｂｊｅｃｔ＝（ウェブページのタイトル）＆ｂｏｄｙ＝（リンク先のＵＲＬ）”＞（「リンク先のＵＲＬ」へのリンクを表す文字列）＜／ａ＞
と変換する。
この処理により、メールクライアント６のユーザがＵＲＬへのリンクを表す文字列を入出力装置１２６を用いてクリックすると、メールクライアント６は、
宛先欄に、データ読み出しサーバ２の電子メールアドレス，
タイトル欄に、ウェブページのタイトル，
本文欄に、リンク先のＵＲＬ
が挿入された電子メールを、ユーザが操作することなく自動的に作成する。【００３５】
また、リンクタグ変換部３０２は、ｈｒｅｆ属性で指定されたＵＲＬが示すデータがＨＴＭＬデータ以外のデータの場合、その指定されたデータのＩＤ（ファイル名）をＲＦＣ２５５７に準拠したｃｉｄ形式に変換する。
すなわち、リンクタグが、
＜ａ  ｈｒｅｆ＝”（ＵＲＬで示されたデータのＩＤ）”＞（「ＵＲＬで示されたデータ」へのリンクを表す文字列）＜／ａ＞
と記載されているとすると、リンクタグ変換部３０２は、これを
＜ａ  ｈｒｅｆ＝”ｃｉｄ：（ＵＲＬで示されたデータのＩＤ）”＞
と変換する。
なお、変換後のｃｉｄという文字列を含むタグは、このＩＤが示すデータが後述するＭＩＭＥ形式のデータ内に存在し、そのデータを使用することを意味する。
この処理により、メールクライアント６のユーザがＵＲＬが示すデータへのリンクを表す文字列を入出力装置１２６を用いてクリックすると、メールクライアント６は、ＭＩＭＥ形式のデータからＵＲＬが示すデータのＩＤを参照し、そのデータを表示することが可能になる。【００３６】
イメージタグ変換部３０４は、イメージタグの変換を行い、ｓｒｃ属性で指定されたデータのＩＤ（ファイル名）をＲＦＣ２５５７に準拠したｃｉｄ形式に変換する。
すなわち、ＨＴＭＬで画像の表示を行う場合に、イメージタグが、
＜ｉｍｇ  ｓｒｃ＝”（画像データのＩＤ）”＞
と記載されているとすると、イメージタグ変換部３０４は、これを
＜ｉｍｇ  ｓｒｃ＝”ｃｉｄ：（画像データのＩＤ）”＞
と変換する。
この処理により、メールクライアント６は、ＭＩＭＥ形式のデータから上記画像データのＩＤを参照し、その画像データを表示することが可能になる。【００３７】
フラッシュタグ変換部３０６は、フラッシュタグの変換を行い、ｓｒｃ属性で指定されたデータのＩＤ（ファイル名）をＲＦＣ２５５７に準拠したｃｉｄ形式に変換する。
すなわち、ＨＴＭＬでフラッシュの表示を行う場合に、フラッシュタグが、
＜ｅｍｂｅｄ  ｓｒｃ＝”（フラッシュに関するデータのＩＤ）”＞
と記載されているとすると、フラッシュタグ変換部３０６は、これを
＜ｅｍｂｅｄ  ｓｒｃ＝”ｃｉｄ：（フラッシュに関するデータのＩＤ）”＞
と変換する。
この処理により、メールクライアント６は、ＭＩＭＥ形式のデータから上記フラッシュに関するデータのＩＤを参照し、そのデータを表示することが可能になる。【００３８】
ジャバスクリプトタグ変換部３０８は、ジャバスクリプトタグの変換を行い、ｓｒｃ属性で指定されたデータのＩＤ（ファイル名）をＲＦＣ２５５７に準拠したｃｉｄ形式に変換する。
すなわち、ＨＴＭＬでジャバスクリプトの表示を行う場合、タグが
＜ｓｃｒｉｐｔ  ｓｒｃ＝”（ジャバスクリプトに関するデータのＩＤ）”＞
と記載されているとすると、ジャバスクリプトタグ変換部３０８は、これを
＜ｓｃｒｉｐｔ  ｓｒｃ＝”ｃｉｄ：（ジャバスクリプトに関するデータのＩＤ）”＞
と変換する。
この処理により、メールクライアント６は、ＭＩＭＥ形式のデータから上記ジャバスクリプトに関するデータのＩＤを参照し、そのデータを表示することが可能になる。【００３９】
ＣＳＳタグ変換部３１０は、ＣＳＳタグの変換を行い、ｈｒｅｆ属性で指定されたデータのＩＤ（ファイル名）をＲＦＣ２５５７に準拠したｃｉｄ形式に変換する。
すなわち、ＨＴＭＬでスタイルシートの指定を行う場合、ＣＳＳタグが、
＜Ｌｉｎｋ  ｈｒｅｆ＝”（ＣＳＳデータのＩＤ）”＞
と記載されているとすると、ＣＳＳタグ変換部３０４は、これを
＜Ｌｉｎｋ  ｈｒｅｆ＝”ｃｉｄ：（ＣＳＳデータのＩＤ）”＞
と変換する。
この処理により、メールクライアント６は、ＭＩＭＥ形式のデータから上記ＣＳＳデータのＩＤを参照し、そのデータを利用してスタイルシートの指定を行うことが可能になる。【００４０】
フォームタグ変換部３１２は、フォームタグの変換を行い、ａｃｔｉｏｎ属性で指定されたＵＲＬを検索サーバ８のＵＲＬに変換する。
すなわち、フォームタグ変換部３１２は、以下の変換処理を実行する。
通常のウェブページに埋め込まれたフォームタグが、
＜ｆｏｒｍ  ａｃｔｉｏｎ＝”（ウェブサーバ４のＵＲＬ）”＞＜／ｆｏｒｍ＞
と記載されているとすると、フォームタグ変換部３１２は、これを
＜ｆｏｒｍ  ａｃｔｉｏｎ＝”（検索サーバ８のＩＤ）”＞＜／ｆｏｒｍ＞
と変換する。
この変換処理によって、メールクライアント６は、フォーム入力情報を含むＨＴＴＰリクエストを、検索サーバ８に対して送信することが可能となる。  【００４１】
また、フォームタグ変換部３１２は、検索サーバ８がｍａｉｌｔｏ形式のＨＴＴＰレスポンスを作成するために必要な情報を追加する。
すなわち、フォームタグ変換部３１２は、以下のタグを追加する。
＜ｉｎｐｕｔ  ｔｙｐｅ＝ｈｉｄｄｅｎ  ｎａｍｅ＝ｕｒｌ  ｖａｌｕｅ＝”（ウェブサーバ４のＵＲＬ）”＞
＜ｉｎｐｕｔ  ｔｙｐｅ＝ｈｉｄｄｅｎ  ｎａｍｅ＝ｍａｉｌｔｏ  ｖａｌｕｅ＝”（データ読み出しサーバ２のＩＤ）”＞
＜ｉｎｐｕｔ  ｔｙｐｅ＝ｈｉｄｄｅｎ  ｎａｍｅ＝ｓｕｂｊｅｃｔ  ｖａｌｕｅ＝”（ウェブページのタイトル）”＞
この処理によって、メールクライアント６からＨＴＴＰリクエストを受信した検索サーバ８は、元のウェブデータを示すＵＲＬ，データ読み出しサーバ２のＩＤおよびウェブページのタイトルを含むＨＴＴＰレスポンスを作成することが可能となる。【００４２】
ＭＩＭＥ形式変換部３２０（図５）は、ＨＴＭＬタグ変換部３０から入力されたＨＴＭＬデータと、関連ファイル抽出部２８０から入力された関連ファイルのデータを、ＲＦＣ１５２１に準拠したＭＩＭＥ形式のデータに変換する。
ＭＩＭＥ形式のデータは、ＨＴＭＬデータの内容とウェブページを構成する関連ファイルのデータの内容を、１つにまとめた形式のデータである。
この形式を適用することにより、ＨＴＭＬデータだけでなく画像データなどＨＴＭＬデータ以外のデータも、電子メールを用いて１つのデータとして送受信することが可能となる。【００４３】
ＭＩＭＥ形式変換部３２０は、ＨＴＭＬデータがＨＴＭＬで記述されたテキストデータであることを示す情報およびこのテキストデータの文字コードを示す情報を、ＨＴＭＬデータにヘッダとして追加する処理を行う。
また、ＭＩＭＥ形式変換部３２０は、ウェブページを構成する関連ファイルデータ（例えば、画像データなど）を、メールクライアント６が復号できる方式（例えば、ＢＡＳＥ６４など）で、テキストデータに変換（符号化）する。
さらに、ＭＩＭＥ形式変換部３２０は、元のデータの種類を示す情報，上記の符号化方式を示す情報および元のデータのＩＤを、符号化後のデータにヘッダとして追加する処理を行う。【００４４】
図９は、本発明にかかるＭＩＭＥ形式のデータの構成の一例を示す図である。
図９に示すように、本発明にかかるＭＩＭＥ形式のデータは、ＭＩＭＥ形式のデータであることを示す情報，ＨＴＭＬデータの内容を示す情報および複数の関連ファイルのデータの内容を示す情報を含み、それぞれの情報の間にデータの区切りを示す文字列が挿入されることによって構成される。
ＨＴＭＬデータの内容を示す情報は、テキストデータであることを示す情報，テキストデータの文字コードを示す情報およびＨＴＭＬデータを含む。
関連ファイルのデータの内容を示す情報は、関連ファイルデータの種類を示す情報，符号化方式を示す情報，関連ファイルデータのＩＤおよび符号化された関連ファイルデータを含む。【００４５】
また、ＭＩＭＥ形式変換部３２０は、ＭＩＭＥ形式のデータを利用して、メールクライアント６へ送信するための電子メール本文のデータを作成し、メール作成部３４０に対して出力する。
メール作成部３４０は、送信者アドレス抽出部２３２から入力された送信者アドレスと、ＭＩＭＥ形式変換部３２０から入力された電子メールの本文のデータとを利用して、メールクライアント６へ送信する電子メールを作成する。
さらに、メール作成部３４０は、作成した電子メールをメール送信部２２４に対して出力する。【００４６】
なお、ＵＲＬが示すデータが、ＨＴＭＬ形式で記述されたデータではない場合、ウェブキャプチャ部２０４は、ウェブサーバ４からＵＲＬが示すデータのダウンロードを行う。
メール作成部３４０は、ウェブキャプチャ部２０４がダウンロードしたデータを添付ファイルとして電子メールを作成する。
これにより、メールクライアント６のユーザは、メールクライアント６から、電子メールを用いて、ウェブページにリンクされたデータのダウンロードを行うことも可能である。【００４７】
図１０は、図１に示したデータ読み出しサーバ２からメールクライアント６に対して送信される電子メールに含まれる情報を示す図である。
図１０に示すように、データ読み出しサーバ２からメールクライアント６に対して送信される電子メールには、メールクライアントＩＤ、データ読み出しサーバＩＤ、検索サーバＩＤ、ウェブページタイトル、ＵＲＬおよびＭＩＭＥ形式のデータが含まれる。
メール送信部２２４（図５）は、メール作成部３４０から受け取った図１０に示す電子メールの情報を、通信処理部２００に対して出力する。【００４８】
図１１は、図５に示したユーザ管理部３６の構成を示す図である。
図１１に示すように、ユーザ管理部３６は、ユーザ情報管理部３６０、ユーザ情報ＤＢ３６２、ユーザアクセス履歴情報管理部３６４、ユーザアクセス履歴情報ＤＢ３６６、ブックマーク情報管理部３６８、ブックマーク情報ＤＢ３７０、セッション情報管理部３７２およびセッション情報ＤＢ３７４から構成される。
ユーザ管理部３６は、これらの構成部分により、ユーザ情報，ユーザアクセス履歴情報，ブックマーク情報およびセッション情報の管理を行う。【００４９】
ユーザ情報管理部３６０は、ユーザの認証を行うためのユーザ情報（例えば、ウェブデータの閲覧を許可されたユーザの電子メールアドレスなど）をユーザ情報ＤＢ３６２に記憶し、ユーザ情報を管理する。
ユーザ認証部３５０（図５）は、ユーザ情報ＤＢ３６２に記憶されたユーザ情報と、送信者アドレス抽出部２３２から入力された送信者アドレス情報とを用いて、送信者の認証のために必要な処理を行う。
これにより、データ読み出しサーバ２は、認証されたユーザのみに、ウェブデータを含む電子メールを返信する。【００５０】
ユーザアクセス履歴情報管理部３６４は、ユーザの、ウェブページに対するアクセス履歴に関する情報をユーザアクセス履歴情報ＤＢ３６６に記憶し、ユーザのアクセス履歴に関する情報を管理する。
ブックマーク情報管理部３６８は、ブックマークに関する情報をブックマーク情報ＤＢ３７０に記憶し、ブックマークに関する情報を管理する。【００５１】
ウェブキャプチャ部２０４は、ウェブサーバ４とデータ読み出しサーバ２との間の通信セッションを設定するための処理を行い、得られたクッキー等のセッション情報を、ユーザ管理部３６のセッション情報管理部３７２に対して出力する。
また、ユーザ認証部３５０は、送信者アドレス情報を、セッション情報管理部３７２に対して出力する。
セッション情報管理部３７２は、ウェブキャプチャ部２０４から入力されたクッキー等のセッション情報と、ユーザ認証部３５０から入力された送信者アドレス情報とを対応付けてセッション情報ＤＢ３７４に記憶し、セッションを維持するための処理を行う。
この処理により、データ読み出しサーバ２は、あるユーザからの電子メールに対応してウェブデータの取得を要求する際、そのユーザのメールアドレスに対応するセッション情報を、ウェブサーバ４に対する要求に付加する。
ウェブサーバ４がそのセッション情報を認識することにより、セッションを維持することが可能である。【００５２】
［ウェブサーバプログラム４０］
図１２は、図１に示したウェブサーバ４において動作するウェブサーバプログラム４０を示す図である。
図１２に示すように、ウェブサーバプログラム４０は、通信処理部２０２、ＵＲＬ取得部４００、ＨＴＭＬデータ送信部４０２、関連ファイル識別情報取得部４０４、関連ファイル送信部４０６およびウェブサーバＤＢ４２０から構成される。
ウェブサーバプログラム４０は、これらの構成部分により、データ読み出しサーバ２から入力されるＵＲＬが示すリソースのＨＴＭＬデータを、組織内ネットワーク１６０を介してデータ読み出しサーバ２に対して配信する。
また、ウェブサーバプログラム４０は、データ読み出しサーバ２から要求された関連ファイルを、組織内ネットワーク１６０を介してデータ読み出しサーバ２に対して配信する。【００５３】
ウェブサーバプログラム４０において、ＵＲＬ取得部４００は、データ読み出しサーバ２から送られてくるＵＲＬを取得し、取得したＵＲＬをウェブサーバＤＢ４２０に対して出力し、ＨＴＭＬデータの要求を行う。
ＨＴＭＬデータ送信部４０２は、ウェブサーバＤＢ４２０から、ＵＲＬ取得部４００が入力したＵＲＬが示すリソースからのＨＴＭＬデータを取得する。
さらに、ＨＴＭＬデータ送信部４０２は、取得したデータを、通信処理部２０２および組織内ネットワーク１６０を介して、データ読み出しサーバ２に対して出力する。【００５４】
関連ファイル識別情報取得部４０４は、データ読み出しサーバ２から入力されたウェブページを構成する関連ファイルの識別情報を取得する。
さらに、関連ファイル識別情報取得部４０４は、取得した識別情報をウェブサーバＤＢ４２０に対して出力し、関連ファイルの要求を行う。
関連ファイル送信部４０６は、ウェブサーバＤＢ４２０から、関連ファイル識別情報に応じて、ウェブページを構成する関連ファイルを取得する。
さらに、関連ファイル送信部４０６は、取得したファイルを、通信処理部２０２および組織内ネットワーク１６０を介して、データ読み出しサーバ２に対して出力する。【００５５】
［メールクライアントプログラム６０］
図１３は、図１に示したメールクライアント６において動作するメールクライアントプログラム６０を示す図である。
図１３に示すように、メールクライアントプログラム６０は、通信処理部２００、ユーザインターフェース（ＵＩ）部６００、ＨＴＭＬメール表示部６０２、メール作成部６０４、フォーム入力部６０６、メール送信部６１０、メール受信部６１２、ＨＴＴＰリクエスト送信部６１４およびＨＴＴＰレスポンス受信部６１６から構成される。
メールクライアントプログラム６０は、これらの構成部分により、ユーザが所望するウェブページのＵＲＬを含む電子メールをデータ読み出しサーバ２に対して送信する。
さらに、このＵＲＬを含むリソースからのウェブデータを含む電子メールをデータ読み出しサーバ２から受信し、このウェブデータに基づいてウェブページを表示する。
また、メールクライアントプログラム６０は、ユーザによる、メールクライアント６に表示されたウェブページ内のリンクに対するクリック動作に応じて、リンク先のＵＲＬを含む電子メールを自動的に作成する。【００５６】
メールクライアントプログラム６０は、フォーム入力情報を含むＨＴＴＰリクエストを、検索サーバ８に対して送信する。
さらに、メールクライアントプログラム６０は、フォーム入力情報に対応するＵＲＬを含むｍａｉｌｔｏ形式のＨＴＴＰレスポンスを、検索サーバ８から受信する。
また、メールクライアントプログラム６０は、ｍａｉｌｔｏ形式のＨＴＴＰレスポンスの受信に応じて、フォーム入力情報に対応するＵＲＬを含む電子メールを、自動的に作成する。【００５７】
メールクライアントプログラム６０において、ＵＩ部６００は、入出力装置１２６に対するユーザの操作を受け入れて、メール作成部６０４およびフォーム入力部６０６に対して受け入れた操作を示すデータを出力する。
また、ユーザの操作に応じて、メールクライアントプログラム６０の他の構成部分の処理を制御する。
さらに、ＵＩ部６００は、ＨＴＭＬメール表示部６０２で処理されたＨＴＭＬ形式のデータを、入出力装置１２６に対して表示する。【００５８】
メール作成部６０４は、ＵＩ部６００からユーザの操作を示すデータを入力して電子メールを作成し、作成した電子メール情報をＨＴＭＬメール表示部６０２およびメール送信部６１０に対して出力する。
また、メール作成部６０４は、ＵＩ部６００からウェブページ内のリンクをクリックしたことを示すデータを入力すると、リンク先のＵＲＬを本文とし、データ読み出しサーバ２のＩＤ（電子メールアドレス）を宛先とする電子メールを、ユーザの操作なく自動的に作成する。
フォーム入力部６０６は、ＵＩ部６００からユーザの操作を示すデータを入力してフォーム入力情報を作成し、作成したフォーム入力情報をＨＴＭＬメール表示部６０２およびＨＴＴＰリクエスト送信部６１４に対して出力する。
ＨＴＭＬメール表示部６０２は、メール作成部６０４から入力された電子メール情報を、ＨＴＭＬ形式で表示するように処理し、処理したデータをＵＩ部６００に出力する。
また、ＨＴＭＬメール表示部６０２は、フォーム入力部６０６から入力されたフォーム入力情報を、ＨＴＭＬ形式で表示するように処理し、処理したデータをＵＩ部６００に出力する。【００５９】
メール送信部６１０は、ユーザの操作に応じて作成された図６に示す情報を含む電子メールを、データ読み出しサーバＩＤが示すデータ読み出しサーバ２へ送信する。
メール受信部６１２は、データ読み出しサーバ２から受信した図１０に示す情報を含む電子メールを、ＨＴＭＬメール表示部６０２に対して出力する。
ＨＴＭＬメール表示部６０２は、メール受信部６１２から入力された電子メール情報を、ＨＴＭＬ形式で表示するように復号などの処理を行い、処理したデータをＵＩ部６００に出力する。【００６０】
図１４は、図１に示したメールクライアント６から検索サーバ８に送信されるＨＴＴＰリクエストに含まれる情報を示した図である。
図１４に示すように、メールクライアント６から検索サーバ８に送信されるＨＴＴＰリクエストには、検索サーバＩＤ、メールクライアントＩＤ、データ読み出しサーバＩＤ、ウェブページタイトル、ＵＲＬおよびフォーム入力情報が含まれる。
ＨＴＴＰリクエスト送信部６１４（図１３）は、フォーム入力部６０６から受け入れた、図１４に示す情報を含むＨＴＴＰリクエストを、検索サーバＩＤが示す検索サーバ８へ送信する。【００６１】
図１５は、図１に示した検索サーバ８からメールクライアント６に送信されるｍａｉｌｔｏ形式のＨＴＴＰレスポンスに含まれる情報を示した図である。
図１５に示すように、検索サーバ８からメールクライアント６に送信されるＨＴＴＰレスポンスには、メールクライアントＩＤ、検索サーバＩＤ、データ読み出しサーバＩＤ、ウェブページタイトルおよびフォーム入力情報に対応するＵＲＬが含まれる。
ＨＴＴＰレスポンス受信部６１６（図１３）は、検索サーバ８から受信した図１５に示す情報を含むｍａｉｌｔｏ形式のＨＴＴＰレスポンスを、メール作成部６０４に対して出力する。
メール作成部６０４は、ｍａｉｌｔｏ形式のＨＴＴＰレスポンスを入力すると、フォーム入力情報に対応するＵＲＬを本文とし、データ読み出しサーバ２のＩＤ（電子メールアドレス）を宛先とする電子メールを、ユーザからの操作なく自動的に作成する。【００６２】
［検索サーバプログラム８０］
図１６は、図１に示した検索サーバ８において動作する検索サーバプログラム８０を示す図である。
図１６に示すように、検索サーバプログラム８０は、ＨＴＴＰリクエスト受信部８００、抽出処理制御部８０２、ＵＲＬ抽出部８１０、データ読み出しサーバアドレス抽出部８１２、ウェブページタイトル抽出部８１４、フォーム入力情報抽出部８１６、ＨＴＴＰレスポンス作成部８２０およびＨＴＴＰレスポンス返信部８３０から構成される。
検索サーバプログラム８０は、これらの構成部分により、メールクライアント６から受信したフォーム入力情報を含むＨＴＴＰリクエストから、ＵＲＬ、データ読み出しサーバ２のアドレスおよびウェブページのタイトルを抽出する。
さらに、検索サーバプログラム８０は、フォーム入力情報に対応するパラメータを追加したＵＲＬが本文となるようなｍａｉｌｔｏ形式のＨＴＴＰレスポンスを、メールクライアント６へ送信する。【００６３】
検索サーバプログラム８０において、ＨＴＴＰリクエスト受信部８００は、図１４に示す情報を含むＨＴＴＰリクエストを、メールクライアント６から受信する。
さらに、ＨＴＴＰリクエスト受信部８００は、受信したＨＴＴＰリクエストを抽出処理制御部８０２に対して出力する。
抽出処理制御部８０２は、ＨＴＴＰリクエスト受信部８００から入力された情報に含まれるパラメータを、ＵＲＬ抽出部８１０、データ読み出しサーバアドレス抽出部８１２、ウェブページタイトル抽出部８１４およびフォーム入力情報抽出部８１６それぞれに設定し、各部に抽出処理を実行させる。【００６４】
ＵＲＬ抽出部８１０は、ＨＴＴＰリクエストに含まれる情報からＵＲＬを抽出し、抽出したＵＲＬをＨＴＴＰレスポンス作成部８２０に対して出力する。
データ読み出しサーバアドレス抽出部８１２は、ＨＴＴＰリクエストに含まれる情報からデータ読み出しサーバ２のアドレスを抽出し、抽出したアドレスをＨＴＴＰレスポンス作成部８２０に対して出力する。
ウェブページタイトル抽出部８１４は、ＨＴＴＰリクエストに含まれる情報からウェブページのタイトルを抽出し、抽出したタイトルをＨＴＴＰレスポンス作成部８２０に対して出力する。
フォーム入力情報抽出部８１６は、ＨＴＴＰリクエストに含まれる情報からフォーム入力情報を抽出し、抽出したフォーム入力情報をＨＴＴＰレスポンス作成部８２０に対して出力する。【００６５】
ＨＴＴＰレスポンス作成部８２０は、ＵＲＬ抽出部８１０、データ読み出しサーバアドレス抽出部８１２およびタイトル抽出部８１４から入力された情報を基にしてｍａｉｌｔｏ形式のＨＴＴＰレスポンスのヘッダ部を作成する。
また、ＨＴＴＰレスポンス作成部８２０は、ＨＴＴＰレスポンスの本文となる、フォーム入力情報抽出部８１６から入力されたフォーム入力情報に対応するパラメータを追加したＵＲＬを作成する。
さらに、ＨＴＴＰレスポンス作成部８２０は、作成したヘッダ部と本文を組み合わせて、ｍａｉｌｔｏ形式のＨＴＴＰレスポンスを作成する。
ＨＴＴＰレスポンス作成部８２０は、作成したｍａｉｌｔｏ形式のＨＴＴＰレスポンスをＨＴＴＰレスポンス返信部８３０に対して出力する。
ＨＴＴＰレスポンス返信部８３０は、ＨＴＴＰレスポンス作成部８２０から入力された、図１５に示す情報を含む、ｍａｉｌｔｏ形式のＨＴＴＰレスポンスを、メールクライアント６に対して返信する。【００６６】
［ウェブページ閲覧システム１の全体的な動作］
以下、ウェブページ閲覧システム１の全体的な動作を説明する。
図１７は、図１に示したウェブページ閲覧システム１の、フォーム入力を考慮しない場合の全体的な動作（Ｓ１０）を示す通信シーケンス図である。
図１７に示すように、ステップ１００（Ｓ１００）において、メールクライアント６は、入出力装置１２６に対するユーザの操作によって作成された、ユーザが所望するＵＲＬを含む電子メールを、データ読み出しサーバ２に対して送信する。【００６７】
ステップ１０２（Ｓ１０２）において、データ読み出しサーバ２は、ＵＲＬにより示されるＨＴＭＬデータの配信を、ウェブサーバ４に対して要求する。
ステップ１０４（Ｓ１０４）において、ウェブサーバ４は、ＵＲＬにより示されるＨＴＭＬデータを、データ読み出しサーバ２に対して配信する。
ステップ１０６（Ｓ１０６）において、データ読み出しサーバ２は、ウェブページを構成する関連ファイルの配信を、ウェブサーバ４に対して要求する
ステップ１０８（Ｓ１０８）において、ウェブサーバ４は、ウェブページを構成する関連ファイルを、データ読み出しサーバ２に対して配信する。【００６８】
ステップ１１０（Ｓ１１０）において、データ読み出しサーバ２は、ウェブサーバ４から配信されたＨＴＭＬデータおよび関連ファイルを基にしてＭＩＭＥ形式に変換した電子メールを、メールクライアント６へ送信する。
ステップ１１２（Ｓ１１２）において、メールクライアント６は、ウェブページ上のリンクをクリックすることにより自動的に作成された、リンク先のＵＲＬを含む電子メールを、データ読み出しサーバ２に対して送信する。【００６９】
ステップ１１４（Ｓ１１４）において、データ読み出しサーバ２は、リンク先のＵＲＬにより示されるＨＴＭＬデータの配信を、ウェブサーバ４に対して要求する。
ステップ１１６（Ｓ１１６）において、ウェブサーバ４は、リンク先のＵＲＬにより示されるＨＴＭＬデータを、データ読み出しサーバ２に対して配信する。
ステップ１１８（Ｓ１１８）において、データ読み出しサーバ２は、リンク先のウェブページを構成する関連ファイルの配信を、ウェブサーバ４に対して要求する
ステップ１２０（Ｓ１２０）において、ウェブサーバ４は、リンク先のウェブページを構成する関連ファイルを、データ読み出しサーバ２に対して配信する。【００７０】
ステップ１２２（Ｓ１２２）において、データ読み出しサーバ２は、ウェブサーバ４から配信されたＨＴＭＬデータおよび関連ファイルを基にして、ＭＩＭＥ形式に変換した電子メールを、メールクライアント６へ送信する。
なお、Ｓ１０２，Ｓ１０４，Ｓ１０６，Ｓ１０８、Ｓ１１４，Ｓ１１６，Ｓ１１８，Ｓ１２０の処理は、必要なデータがデータ読み出しサーバ２に全て配信されるまで、必要に応じて何回も行われうる。【００７１】
図１８は、図１に示したウェブページ閲覧システム１の、フォーム入力を考慮した場合の全体的な動作（Ｓ２０）を示す通信シーケンス図である。
図１８に示すように、ステップ２１２（Ｓ２１２）において、メールクライアント６は、ユーザが入出力装置１２６を操作して作成したフォーム入力情報を含むＨＴＴＰリクエストを、検索サーバ８に対して送信する。
ステップ２１４（Ｓ２１４）において、検索サーバ８は、フォーム入力情報に対応して作成されたＨＴＴＰ  ＧＥＴ形式のＵＲＬを含むｍａｉｌｔｏ形式のＨＴＴＰレスポンスを、メールクライアント６に対して返信する。【００７２】
ステップ２１６（Ｓ２１６）において、メールクライアント６は、ｍａｉｌｔｏ形式のＨＴＴＰレスポンスの受信によって自動的に作成された、フォーム入力情報に対応するＵＲＬを含む電子メールを、データ読み出しサーバ２に対して送信する。
ステップ２１８（Ｓ２１８）において、データ読み出しサーバ２は、フォーム入力情報に対応するＵＲＬにより示されるＨＴＭＬ形式のデータの配信を、ウェブサーバ４に対して要求する。
ステップ２２０（Ｓ２２０）において、ウェブサーバ４は、ＵＲＬにより示されるＨＴＭＬデータを、データ読み出しサーバ２に対して配信する。
ステップ２２２（Ｓ２２２）において、データ読み出しサーバ２は、ウェブページを構成する関連ファイルの配信を、ウェブサーバ４に対して要求する
ステップ２２４（Ｓ２２４）において、ウェブサーバ４は、ウェブページを構成する関連ファイルを、データ読み出しサーバ２に対して配信する。【００７３】
ステップ２２６（Ｓ２２６）において、データ読み出しサーバ２は、ウェブサーバ４から配信されたＨＴＭＬデータおよび関連ファイルを基にして、ＭＩＭＥ形式に変換した電子メールを、メールクライアント６へ送信する。
なお、Ｓ１０２，Ｓ１０４，Ｓ１０６，Ｓ１０８、Ｓ２１８，Ｓ２２０，Ｓ２２２，Ｓ２２４の処理は、必要なデータがデータ読み出しサーバ２に全て配信されるまで、必要に応じて何回も行われうる。
【産業上の利用可能性】
【００７４】
本発明は、データ閲覧のために利用可能である。
【符号の説明】
【００７５】
１・・・ウェブページ閲覧システム，
１００・・・ネットワーク，
１６・・・イントラネット，
１６０・・・組織内ネットワーク，
１８０・・・電子メールゲートウェイ，
２・・・データ読み出しサーバ，
１２０・・・本体，
１２２・・・ＣＰＵ，
１２４・・・メモリ，
１２６・・・入出力装置，
１２８・・・通信装置，
１３０・・・記憶装置，
１３２・・・記憶媒体，
２０・・・データ読み出しサーバプログラム，
２００，２０２・・・通信処理部，
２０４・・・ウェブキャプチャ部，
２１０・・・ウェブページＤＢ，
２２２・・・メール受信部，
２２４・・・メール送信部，
２２６・・・メール分析部，
２３０・・・ＵＲＬ抽出部，
２３２・・・送信者アドレス抽出部，
２４・・・ポータル処理部，
２４０・・・キーワード抽出部，
２４２・・・ブックマーク処理部，
２４４・・・履歴処理部，
２４６・・・アカウント処理部，
２４８・・・自動配信処理部，
２５０・・・ブラウザ設定処理部，
２６０・・・ＵＲＬアクセス部，
２８０・・・関連ファイル抽出部，
３０・・・ＨＴＭＬタグ変換部，
３００・・・ＨＴＭＬタグ抽出部，
３０２・・・リンクタグ変換部，
３０４・・・イメージタグ変換部，
３０６・・・フラッシュタグ変換部，
３０８・・・ジャバスクリプトタグ変換部，
３１０・・・ＣＳＳタグ変換部，
３１２・・・フォームタグ変換部，
３２０・・・ＭＩＭＥ形式変換部，
３４０・・・メール作成部，
３５０・・・ユーザ認証部，
３６・・・ユーザ管理部，
３６０・・・ユーザ情報管理部，
３６２・・・ユーザ情報ＤＢ，
３６４・・・ユーザアクセス履歴情報管理部，
３６６・・・ユーザアクセス履歴情報ＤＢ，
３６８・・・ブックマーク情報管理部，
３７０・・・ブックマーク情報ＤＢ，
３７２・・・セッション情報管理部，
３７４・・・セッション情報ＤＢ，
４・・・ウェブサーバ，
４０・・・ウェブサーバプログラム，
４００・・・ＵＲＬ取得部，
４０２・・・ＨＴＭＬデータ送信部，
４０４・・・関連ファイル識別情報取得部，
４０６・・・関連ファイル送信部，
４２０・・・ウェブサーバＤＢ，
６・・・メールクライアント，
６０・・・メールクライアントプログラム，
６００・・・ユーザインターフェース部，
６０２・・・ＨＴＭＬメール表示部，
６０４・・・メール作成部，
６０６・・・フォーム入力部，
６１０・・・メール送信部，
６１２・・・メール受信部，
６１４・・・ＨＴＴＰリクエスト送信部，
６１６・・・ＨＴＴＰレスポンス受信部，
８・・・検索サーバ，
８０・・・検索サーバプログラム，
８００・・・ＨＴＴＰリクエスト受信部，
８０２・・・抽出処理制御部，
８１０・・・ＵＲＬ抽出部，
８１２・・・データ読み出しサーバアドレス抽出部，
８１４・・・ウェブページタイトル抽出部，
８１６・・・フォーム入力情報抽出部，
８２０・・・ＨＴＴＰレスポンス作成部，
８３０・・・ＨＴＴＰレスポンス返信部，
【図１】
2007052353.tif 000003
【図２】
2007052353.tif 000004
【図３】
2007052353.tif 000005
【図４】
2007052353.tif 000006
【図５】
2007052353.tif 000007
【図６】
2007052353.tif 000008
【図７】
2007052353.tif 000009
【図８】
2007052353.tif 000010
【図９】
2007052353.tif 000011
【図１０】
2007052353.tif 000012
【図１１】
2007052353.tif 000013
【図１２】
2007052353.tif 000014
【図１３】
2007052353.tif 000015
【図１４】
2007052353.tif 000016
【図１５】
2007052353.tif 000017
【図１６】
2007052353.tif 000018
【図１７】
2007052353.tif 000019
【図１８】
2007052353.tif 000020
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
第１のネットワークと、第２のネットワークとを含むデータ伝送システムであって、前記第１のネットワークにおいては、ウェブページに含まれるウェブデータが、この第１のネットワークの内部でのみ伝送され、前記第１のネットワークと前記第２のネットワークとの間では、電子メールによるデータの伝送が行われ、前記第２のネットワークから前記第１のネットワークに対して、前記ウェブデータを指定する指定データを含む電子メールが送信され、
前記第１のネットワークは、
前記ウェブデータを記憶するデータ記憶装置と、
前記記憶されたウェブデータの内、前記第２のネットワークからの電子メールに含まれる指定データが示すウェブデータを読み出して、前記読み出したウェブデータを含む電子メールを、前記第２のネットワークに対して返すデータ読み出し装置と
を有し、
前記第２のネットワークには、前記指定データを含む電子メールを、前記第１のネットワークに対して送信し、前記第１のネットワークから返された電子メールを受信する電子メール装置が接続され、
前記電子メール装置は、
前記電子メールを、前記第２のネットワークを介して、前記第１のネットワークから受信する受信手段と、
前記電子メールの内容を表示する電子メール表示手段であって、前記受信されたウェブデータの内容を表示する、電子メール表示手段と、
前記指定データを含む電子メールを、前記第２のネットワークを介して、前記第１のネットワークに対して送信する送信手段と
を有し、
前記データ読み出し装置は、
前記読み出したウェブデータを、前記電子メール装置の電子メール表示手段における表示に適合させるように変換する変換手段と、
前記変換されたウェブデータを含む電子メールを、前記第２のネットワークを介して、前記電子メール装置に対して送信する送信手段と
を有する
データ伝送システム。
【請求項２】
前記ウェブデータは、ＨＴＭＬタグを含み、
前記データ読み出し装置の前記変換手段は、前記ＨＴＭＬタグを、前記電子メール装置の前記電子メール表示手段における表示形式に適合した表示処理を示すデータに変換する
請求の範囲第１項に記載のデータ伝送システム。
【請求項３】
（削除）
【請求項４】
前記ウェブデータを指定する指定データは、ＵＲＬであり、
前記第１のネットワークは、イントラネットであり、
前記第２のネットワークは、インターネットである
請求の範囲第１項に記載のデータ伝送システム。
【請求項５】
前記ウェブデータは、
他のウェブデータを指定する指定データ
をさらに含み、
前記電子メール装置は、
前記受信されたウェブデータに含まれる前記指定データを選択する選択手段
をさらに有し、
前記送信手段は、前記選択された指定データを含む電子メールを送信する
請求の範囲第１項に記載のデータ伝送システム。
【請求項６】
前記ウェブデータは、
外部からの操作を受け入れる操作用画像
をさらに含み、
前記電子メール装置の電子メール表示手段は、前記ウェブデータに含まれる操作用画像をさらに表示し、
前記電子メール装置は、
前記表示された操作用画像に対する操作を受け入れる操作受入手段
をさらに有し、
前記電子メール装置の選択手段は、前記表示された操作用画像に対する操作に応じて、受信された電子メールのウェブデータに含まれる前記他のウェブデータの指定データの内の１つ以上を選択する
請求の範囲第５項に記載のデータ伝送システム。
【請求項７】
前記ウェブデータに含まれる指定データは、このウェブデータに対応付けられた他のウェブデータを指定する指定データである
請求の範囲第５項に記載のデータ伝送システム。
【請求項８】
前記第２のネットワークは、
前記電子メール装置から送られてくる操作情報を含む要求に応じて、この要求に含まれる操作情報に対応する前記ウェブデータの指定データを検索し、検索の結果として得られた指定データを、前記要求した電子メール装置に返す検索装置
をさらに有し、
前記電子メール装置は、
前記検索装置から返される指定データを含む電子メールを作成する電子メール作成手段
をさらに有し、
前記送信手段は、前記作成された電子メールを、第２のネットワークを介して、第１のネットワークに対して、さらに送信する
請求の範囲第１項に記載のデータ伝送システム。
【請求項９】
前記データ読み出し装置の変換手段は、前記読み出したウェブデータを、前記検索装置の識別情報を含むデータにさらに変換し、
前記電子メール装置の送信手段は、前記操作情報を含む要求を、前記識別情報が示す検索装置に対してさらに送信する
請求の範囲第８項に記載のデータ伝送システム。
【請求項１０】
前記データ読み出し装置は、
前記受信された電子メールから識別情報を抽出する抽出手段と、
前記抽出された識別情報に基づいて、前記電子メールの送信者を認証する認証手段と
をさらに有する
請求の範囲第１項に記載のデータ伝送システム。
【請求項１１】
前記データ読み出し装置は、
前記抽出された識別情報を記憶する識別情報記憶手段と、
前記記憶された識別情報に基づいて、前記データ記憶装置にアクセスするアクセス手段と
をさらに有する
請求の範囲第１０項に記載のデータ伝送システム。
【請求項１２】
前記データ読み出し装置は、
前記ウェブデータを利用するための機能を提供するデータ利用機能提供手段
を有し、
前記第２のネットワークから前記第１のネットワークに対して、前記データ利用機能の内容を指定するデータ利用機能指定情報を含む電子メールが送信され、
前記データ利用機能提供手段は、前記データ利用機能指定情報に応じてデータ利用機能を提供する
請求の範囲第１項に記載のデータ伝送システム。
【請求項１３】
第１のネットワークと、第２のネットワークとを含むデータ伝送システムにおけるデータ伝送方法であって、前記第１のネットワークにおいては、ウェブページに含まれるウェブデータが、この第１のネットワークの内部でのみ伝送され、前記第１のネットワークと前記第２のネットワークとの間では、電子メールによるデータの伝送が行われ、前記第２のネットワークから前記第１のネットワークに対して、前記ウェブデータを指定する指定データを含む電子メールが送信され、
前記第１のネットワークにおいて、
前記ウェブデータを記憶する記憶ステップと、
前記記憶されたウェブデータの内、前記第２のネットワークからの電子メールに含まれる指定データが示すウェブデータを読み出して、前記読み出したウェブデータを含む電子メールを、前記第２のネットワークに対して返すデータ読み出しステップと
を含み、
前記第２のネットワークには、前記指定データを含む電子メールを、前記第１のネットワークに対して送信し、前記第１のネットワークから返された電子メールを受信する電子メール装置が接続され、
前記電子メール装置において、
前記電子メールを、前記第２のネットワークを介して、前記第１のネットワークから受信する受信ステップと、
前記電子メールの内容を表示する電子メール表示ステップであって、前記受信されたウェブデータの内容を表示する、電子メール表示ステップと、
前記指定データを含む電子メールを、前記第２のネットワークを介して、前記第１のネットワークに対して送信する送信ステップと
を含み、
前記データ読み出しステップは、
前記読み出したウェブデータを、前記電子メール装置の電子メール表示ステップにおける表示に適合させるように変換する変換ステップと、
前記変換されたウェブデータを含む電子メールを、前記第２のネットワークを介して、前記電子メール装置に対して送信する送信ステップと
を含む
データ伝送方法。
【請求項１４】
それぞれのコンピュータを含む第１のネットワークと、第２のネットワークとを含むデータ伝送システムにおけるデータ伝送プログラムであって、前記第１のネットワークにおいては、ウェブページに含まれるウェブデータが、この第１のネットワークの内部でのみ伝送され、前記第１のネットワークと前記第２のネットワークとの間では、電子メールによるデータの伝送が行われ、前記第２のネットワークから前記第１のネットワークに対して、前記ウェブデータを指定する指定データを含む電子メールが送信され、
前記ウェブデータを記憶する記憶ステップと、
前記記憶されたウェブデータの内、前記第２のネットワークからの電子メールに含まれる指定データが示すウェブデータを読み出して、前記読み出したウェブデータを含む電子メールを、前記第２のネットワークに対して返すデータ読み出しステップと
を、前記第１のネットワークのコンピュータに実行させ、
前記第２のネットワークには、前記指定データを含む電子メールを、前記第１のネットワークに対して送信し、前記第１のネットワークから返された電子メールを受信する電子メール装置が接続され、
前記電子メールを、前記第２のネットワークを介して、前記第１のネットワークから受信する受信ステップと、
前記電子メールの内容を表示する電子メール表示ステップであって、前記受信されたウェブデータの内容を表示する、電子メール表示ステップと、
前記指定データを含む電子メールを、前記第２のネットワークを介して、前記第１のネットワークに対して送信する送信ステップと
を、前記電子メール装置に実行させ、
前記データ読み出しステップは、
前記読み出したウェブデータを、前記電子メール装置の電子メール表示ステップにおける表示に適合させるように変換する変換ステップと、
前記変換されたウェブデータを含む電子メールを、前記第２のネットワークを介して、前記電子メール装置に対して送信する送信ステップと
を含む
データ伝送プログラム。
【国際調査報告】
2007052353.tif 000021
2007052353.tif 000022
2007052353.tif 000023
2007052353.tif 000024